(57)【特許請求の範囲】
【請求項１】
入荷穀粒を流量調節貯留タンク８から受けて粗選別する粗精選機１０と、粗選済み穀粒の重量を測定する計量器１１と、計量済み穀粒を受けて乾燥する複数台の乾燥機１５及び乾燥済み穀粒等を貯留する複数台のサイロ２４等よりなる穀粒乾燥施設において、該粗精選機１０には網目状のスカルピングスクリーン３５を所定角度で下方へ傾斜させて設け、該スカルピングスクリーン３５の下側に網目状のサイドスクリーン３６を所定角度で下方へ傾斜させて設け、且つ、該サイドスクリーン３６の下側に流下棚３７を所定角度で下方へ傾斜させて設け、該スカルピングスクリーン３５により枝梗付着粒を選別して脱芒機３９を介して各乾燥機１５へ供給する構成とし、サイドスクリーン３６により精籾粒を選別して計量器１１へ供給する構成とし、流下棚３７の終端部に設けた脱ぷ粒排出口４３と排出漏斗４３ａとを連接させ、該排出漏斗４３ａには風選別用の吸引ファン４４を設けて流下する草の実や砂や籾殻を機外へ排出する構成とし、選別済み脱ぷ粒は脱ぷ粒タンク用エレベータ４５を介して脱ぷ粒タンク４８へ供給される構成とすると共に、乾燥済み穀粒を出荷するときは、該各サイロ２４から排出する乾燥済み穀粒が該流量調節貯留タンク８を経て該計量器１１へ供給されて重量測定後に出荷される構成としたことを特徴とする穀粒乾燥施設。
【発明の詳細な説明】
【０００１】
【発明の属する技術分野】
この発明は、穀粒乾燥施設に関する。
【０００２】
【従来の技術】
入荷した穀粒は、例えば、荷受装置等で受けて流量調節貯留タンクへ供給し、この流量調節貯留タンクで流量が調節されながら、粗精選機へ供給されて藁屑と穀粒とに粗選別され、粗選済み穀粒は、計量器へ供給されて重量を測定する。粗選、及び計量済み穀粒は、各乾燥機へ供給して所定水分値に達するまで乾燥し、乾燥済み穀粒は、各サイロへ供給して貯留する。
【０００３】
乾燥済み穀粒を出荷のときは、サイロ内の乾燥済み穀粒は、出荷用計量器へ排出して重量が測定され、計量済み穀粒を出荷する。
【０００４】
【発明が解決しようとする課題】
入荷して粗選別した粗選済み穀粒と、この穀粒を乾燥した乾燥済み穀粒との重量測定は、別々の計量器で測定していることにより、乾燥施設がコスト高となっていたが、これをこの発明により、解消しようとするものである。
【０００５】
【課題を解決するための手段】
このために、この発明は、入荷穀粒を流量調節貯留タンク８から受けて粗選別する粗精選機１０と、粗選済み穀粒の重量を測定する計量器１１と、計量済み穀粒を受けて乾燥する複数台の乾燥機１５及び乾燥済み穀粒等を貯留する複数台のサイロ２４等よりなる穀粒乾燥施設において、該粗精選機１０には網目状のスカルピングスクリーン３５を所定角度で下方へ傾斜させて設け、該スカルピングスクリーン３５の下側に網目状のサイドスクリーン３６を所定角度で下方へ傾斜させて設け、且つ、該サイドスクリーン３６の下側に流下棚３７を所定角度で下方へ傾斜させて設け、該スカルピングスクリーン３５により枝梗付着粒を選別して脱芒機３９を介して各乾燥機１５へ供給する構成とし、サイドスクリーン３６により精籾粒を選別して計量器１１へ供給する構成とし、流下棚３７の終端部に設けた脱ぷ粒排出口４３と排出漏斗４３ａとを連接させ、該排出漏斗４３ａには風選別用の吸引ファン４４を設けて流下する草の実や砂や籾殻を機外へ排出する構成とし、選別済み脱ぷ粒は脱ぷ粒タンク用エレベータ４５を介して脱ぷ粒タンク４８へ供給される構成とすると共に、乾燥済み穀粒を出荷するときは、該各サイロ２４から排出する乾燥済み穀粒が該流量調節貯留タンク８を経て該計量器１１へ供給されて重量測定後に出荷される構成とした穀粒乾燥施設とする。
【０００６】
【発明の作用】
入荷した穀粒は、例えば、荷受装置等で受けて流量調節貯留タンク８へ供給し、この流量調節貯留タンク８で流量が調節されながら、粗精選機１０へ供給し、藁屑と穀粒とに粗選別して、粗選済み穀粒は、計量器１１へ供給して重量を測定する。粗選、及び計量済み穀粒は、各乾燥機１５へ供給し、この各乾燥機１５内で所定水分値に達するまで乾燥され、乾燥済み穀粒は、各サイロ２４へ供給して貯留する。
そして、粗精選機１０では、所定角度で下方へ傾斜させて設けたスカルピングスクリーン３５により枝梗付着粒が選別されて脱芒機３９を介して各乾燥機１５へ供給され、サイドスクリーン３６により精籾粒が選別されて計量器１１へ供給され、流下棚３７の終端部に設けた排出漏斗４３ａの風選別用の吸引ファン４４により草の実や砂や籾殻が機外へ排出されて、選別済み脱ぷ粒が脱ぷ粒タンク用エレベータ４５を介して脱ぷ粒タンク４８へ供給される。そして、この脱ぷ粒タンク４８から脱ぷ粒のみを機外へ排出して乾燥が行われる構成すれば、脱ぷ粒には、草の実、籾殻、及び砂等が混入しないことにより、該脱ぷ粒タンク４８を小型化できると共に、脱ぷ粒を乾燥し、精米して出荷のときに、異物が混入していないことにより、高価格で販売することができる。
【０００７】
乾燥済み穀粒を出荷のときは、各サイロ２４内の乾燥済み穀粒は、荷受けが終了して空き状態になった流量調節貯留タンク８へ排出され、この流量調節貯留タンク８から粗精選機１０を経て計量器１１へ供給して重量が測定され、計量済み穀粒を出荷する。
【０００８】
【発明の効果】
粗精選機１０では、所定角度で下方へ傾斜させて設けたスカルピングスクリーン３５により枝梗付着粒が選別されて脱芒機３９を介して各乾燥機１５へ供給され、サイドスクリーン３６により精籾粒が選別されて計量器１１へ供給され、流下棚３７の終端部に設けた排出漏斗４３ａの風選別用の吸引ファン４４により草の実や砂や籾殻が機外へ排出されて、選別済み脱ぷ粒が脱ぷ粒タンク用エレベータ４５を介して脱ぷ粒タンク４８へ供給される。そして、この脱ぷ粒タンク４８から脱ぷ粒のみを機外へ排出して乾燥が行われる構成すれば、脱ぷ粒には、草の実、籾殻、及び砂等が混入しないことにより、該脱ぷ粒タンク４８を小型化できると共に、脱ぷ粒を乾燥し、精米して出荷のときに、異物が混入していないことにより、高価格で販売することができる。
入荷して粗選済み穀粒と乾燥済み穀粒との両者の重量測定は、一台の計量器１１で行う構成としたことにより、乾燥施設を低コストにすることができた。
【０００９】
【実施例】
以下、本発明の一実施例を図面に基づいて説明する。
図例は、入荷する穀粒を受けて乾燥する穀粒乾燥施設１を図１の如く示し、この穀粒乾燥施設１の主要部分について説明する。
前記穀粒乾燥施設１は、入荷して供給される穀粒は、図１の太実線で示す如く移動する。入荷する穀粒を受けて流下案内する漏斗形状の荷受ホッパ２を地面より下部に位置させて複数個設け、これら各荷受ホッパ２下端部には、自動シャッタ３を設け、該各荷受ホッパ２下側には、移送ベルト（図示せず）を内装した荷受コンベア４を設けた構成である。この荷受コンベア４の移送終端部の下手側には、バケットコンベア付ベルト（図示せず）を内装した粗精選機用エレベータ５を設け、この粗精選機用エレベータ５の排出口下側には、移送ベルト（図示せず）を内装した粗精選用コンベア６を設け、この粗精選コンベア６移送終端の底部には、自動二方向切替装置７を設け、この自動二方向切替装置７の開により、荷受穀粒を下側の流量調節貯留タンク８，８へ供給する構成としている。
【００１０】
前記流量調節貯留タンク８は、粗精選コンベア６下側に複数個設け、これら各流量調節貯留タンク８下端部には、自動シャッタ９を設けた構成としている。
前記流量調節貯留タンク８の下側には、自動シャッタ９の開により、供給される穀粒を藁屑と穀粒とに分離して粗選別する粗精選機１０を設け、この粗精選機１０の下手側には、粗選別済み穀粒の重量を測定する計量器１１を設け、この計量器１１で入荷して粗選別した穀粒を個人別に計量する構成としている。
【００１１】
前記計量器１１で計量済み穀粒は、バケットコンベア付ベルト（図示せず）を内装した乾燥機張込エレベータ１２へ供給される構成であり、この乾燥機張込エレベータ１２の排出口下側には、自動二方向切替装置１３を複数個設け、これら各自動二方向切替装置１３の切替操作により、所定の装置へ計量済み穀粒は、供給される構成としている。
【００１２】
前記乾燥機張込エレベータ１２の排出口下側の最上段の自動二方向切替装置１３の開により、粗選別、及び計量済み穀粒は、移送ベルト（図示せず）を内装した乾燥機張込コンベア１４へ供給され、この乾燥機張込コンベア１４底部に設けた自動シャッタ１５ａの開により、下側に設けた複数個の各乾燥機１５へ順次供給され、所定水分値に達するまで乾燥する構成としている。
【００１３】
前記乾燥機１５には、バケットコンベア付ベルト（図示せず）を内装した乾燥エレベータ１６を設け、この乾燥エレベータ１６の排出口下側には、自動二方向切替装置１７を設け、この自動二方向切替装置１７の開により、該乾燥機１５内への循環供給か、又は移送ベルト（図示せず）を内装した乾燥機排出コンベア１８へ穀粒は供給される構成であり、該乾燥機排出コンベア１８の移送終端の底部には、自動二方向切替装置１９を設けた構成としている。
【００１４】
前記自動二方向切替装置１９の所定位置への開により、バケットコンベア付ベルト（図示せず）を内装したサイロ張込エレベータ２０へ乾燥済み穀粒は、供給される構成であり、又、他の所定位置への開により、其の他の装置へも移送供給できる構成としている。
前記サイロ張込エレベータ２０から移送ベルト（図示せず）を内装したサイロ張込コンベア２１へ供給された乾燥済み穀粒は、このサイロ張込コンベア２１の底部の自動シャッタ２２、及び自動二方向切替装置２３の両者の開により、下側のサイロ２４へ供給か、又は該自動シャッタ２２のみの開により、下側の該サイロ２４へ供給かが行われる構成としている。
【００１５】
前記サイロ２４は、乾燥済み穀粒が多量貯留できる大型と少量貯留できる小型とを配設した構成であり、これら大型の各サイロ２４下端部には、自動シャッタ２５を設け、小型の各サイロ２４下端部には、該自動シャッタ２５と自動二方向切替装置２６との両者を設けた構成であり、これら自動シャッタ２５、及び自動二方向切替装置２６の開により、該サイロ２４内の穀粒を下側の移送ベルト（図示せず）を内装したサイロ排出コンベア２７ａ，２７ｂへ排出する構成としている。
【００１６】
穀粒の水分値が所定水分値以下であるときは、乾燥機張込エレベータ１２の上より二段目の自動二方向切替装置１３の開により、各サイロ２４へこの穀粒を乾燥せずに直接供給し、一時貯留後に各乾燥機１５へ供給して乾燥することができる構成としている。
前記サイロ排出コンベア２７ａ，２７ｂの下手側には、サイロ排出コンベア２７ａ，２７ｂより穀粒を受けるバケットコンベア付ベルト（図示せず）を内装したサイロ排出エレベータ２８ａ，２８ｂを設けた構成であり、これらサイロ排出エレベータ２８ａ，２８ｂの排出口下側には、自動二方向切替装置２９を複数個設けた構成としている。
【００１７】
前記サイロ排出エレベータ２８ａ，２８ｂの下手側には、移送ベルト（図示せず）を内装した移送コンベア３０を設け、この移送コンベア３０の移送終端の底部には、自動二方向切替装置３１を複数個設けた構成としている。
前記各サイロ２４内の乾燥済み穀粒を、例えば、計量して出荷するときは、図１の点線で示す如く乾燥済み穀粒は移動して計量される。該各サイロ２４の自動シャッタ２５、及び自動二方向切替装置２６の開により、サイロ排出コンベア２７ａ，２７ｂへ排出され、これらサイロ排出コンベア２７ａ，２７ｂからサイロ排出エレベータ２８ａ，２８ｂへ供給され、これらサイロ排出エレベータ２８ａ，２８ｂの自動二方向切替装置２９，２９の開により、移送用コンベア３０へ供給され、この移送コンベア３０の自動二方向切替装置３１の開により、一方側の流量調節貯留タンク８へ供給され、この流量調節貯留タンク８の自動シャッタ９の開により、粗精選機１０を経て計量器１１へ供給され、この計量器１１で乾燥済み穀粒の重量が測定され、機外へ排出する構成であり、この計量器１１で入荷穀粒と乾燥済み穀粒との両者の重量が測定できる構成としている。
【００１８】
計量、及び乾燥済みで、更に後述する精選済みの穀粒は、計量器１１から乾燥機張込コンベア１２へ排出され、この乾燥機張込コンベア１２の最下段の自動二方向切替装置１３の開により、移送ベルト（図示せず）を内装した移送コンベア３２へ供給され、この移送コンベア３２から籾摺等の後工程へ移送され、後工程処理が行われる構成としている。
【００１９】
前記粗精選機１０は、上側で穀粒と藁屑とに分離選別され、穀粒は図２で示す如く更に精選される。この精選部は図２で示す如く箱形状で上下二段に分割した構成であり、一端部の供給口３３へ分離選別された穀粒が供給される構成であり、上段側の上段部には、出口付きノーズスクリーン３４を設けると共に、上下段の上側には、精粒、脱ぷ粒、及び草の実等を漏下させ、枝梗付着粒を選別して流下させる網目状のスカルピングスクリーン３５を所定角度に下方へ傾斜させて設け、このスカルピングスクリーン３５の下側には、所定の間隔を設けて脱ぷ粒、及び草の実等を漏下させ、精籾粒を選別して流下させる網目状のサイドスクリーン３６を所定角度に下方へ傾斜させて設け、このサイドスクリーン３６の下側には、所定の間隔を設けて流下棚３７を所定角度に下方へ傾斜させて設け、脱ぷ粒、草の実、及び砂を流下させる構成としている。
【００２０】
前記スカルピングスクリーン３５，３５の流下終端部には、枝梗付着粒排出口３８を設け、この排出口３８と排出漏斗３８ａとは連接させ、この排出漏斗３８ａと枝梗を除去する脱芒機３９との間には、自動二方向切替装置４０を設けて連接させた構成であり、該脱芒機３９で枝梗が除去された穀粒は、バケットコンベア付ベルト（図示せず）を内装した脱芒機排出エレベータ４１へ排出され、この脱芒機排出エレベータ４１の排出口下側の自動二方向切替装置４２の開により、サイロ排出エレベータ２８ａ，２８ｂを経て各乾燥機１５へ供給されて乾燥される構成としている。
【００２１】
前記サイドスクリーン３６，３６の終端部には、精籾粒排出口４２ａを設け、この精籾粒排出口４２ａは、計量器１１へ連接させた構成としている。
前記流下棚３７，３７の終端部には、脱ぷ粒排出口４３を設け、この排出口４３と排出漏斗４３ａとは連接させ、図３で示す如く該排出漏斗４３ａを流下する脱ぷ粒と草の実、砂、及び籾殻とを吸引ファン４４の吸引風によって風選別する構成であり、この排出漏斗４３ａの一側壁には、二次空気吸入口４３ｂを設けた構成であり、草の実、砂、及び籾殻は、この吸引ファン４４で吸引されて機外へ排出する構成である。該排出漏斗４３ａとバケットコンベア付ベルト（図示せず）を内装した脱ぷ粒タンク用エレベータ４５との間には、自動二方向切替装置４６を設けて連接させた構成であり、これにより、精選された選別済み脱ぷ粒は、該脱ぷ粒タンク用エレベータ４５へ供給する構成としている。
【００２２】
前記脱ぷ粒タンク用エレベータ４５へ供給された選別済み脱ぷ粒は、排出口下側の自動二方向切替装置４７の開により、脱ぷ粒タンク４８へ供給され、この脱ぷ粒タンク４８からスケールシャッタ４９を経て機外へ排出され、この脱ぷ粒のみ乾燥が行われる構成としている。これにより、脱ぷ粒には、草の実、籾殻、及び砂等が混入しないことにより、該脱ぷ粒タンク４８を小型化できると共に、脱ぷ粒を乾燥し、精米して出荷のときに、異物が混入していないことにより、高価格で販売することができる構成としている。
【００２３】
前記粗精選機１０で選別された選別済み穀粒の一部は、全自動自主検査装置５０へ供給され、精粒と青米、及び粃粒との比率、穀粒水分値、品質等を検査する構成としている。
前記穀粒乾燥施設１には、前述した各装置以外に、乾燥済み穀粒を籾摺する籾摺機（図示せず）、この籾摺機で籾摺済み玄米を精白する精米機（図示せず）、この精米機で精白された白米を、例えば、３０ｋｇ袋に袋詰め、及び計量する計量包装装置（図示せず）、この計量包装した３０ｋｇ袋を順次パレット（図示せず）へ段積するパレタイズロボット（図示せず）、籾摺調節タンク（図示せず）、玄米調節タンク（図示せず）、各エレベータ（図示せず）及び色彩選別機（図示せず）等を配置した構成としている。
【００２４】
前記籾摺機で籾摺した玄米を、例えば、計量して売渡し出荷するときは、この玄米を流量調節貯留タンク８、及び粗精選機１０を経て計量器１１へ供給し、この計量器１１で重量を測定する構成とするもよく、又、精米した白米を、例えば、計量包装せずに、多量に計量して売渡し出荷するときは、この白米を該流量調節貯留タンク８、及び該粗精選機１０を経て該計量器１１へ供給し、この計量器１１で重量を測定する構成とするもよい。
【００２５】
前述した各部の各装置は、操作装置（図示せず）内に設けた制御装置（図示せず）により、始動、及び停止制御、又は開閉制御する構成としている。
図４は、荷受部を示す。
入荷する穀粒を受けて流下案内する漏斗形状の荷受ホッパ２を地面より下部に位置させて複数個設け、これら各荷受ホッパ２下端部には、自動シャッタ３を設け、該各荷受ホッパ２下側には、移送ベルト（図示せず）を内装した荷受コンベア４を設けた構成である。この荷受コンベア４移送終端部には、バケットコンベア付ベルト（図示せず）を内装した粗精選機用エレベータ５１を設けている。
【００２６】
前記粗精選機用エレベータ５１の排出口下側には、自動二方向切替装置５２を設け、この自動二方向切替装置５２を一方側への開により、図４の太実線で示す如く穀粒は移動する。荷受穀粒を下側の流量調節貯留タンク８，８へ供給され、又、該自動二方向切替装置５２の他方側への開により、図４の点線で示す如く穀粒は移動する。この流量調節貯留タンク８，８から粗精選機１０へ供給されて選別された選別済み穀粒を計量器１１で受け、この計量器１１で重量を測定して該粗精選機用エレベータ５１へ還元され、この還元された選別、及び重量測定済み穀粒は、この粗精選機エレベータ５１を経て次工程の乾燥機張込コンベア１４へ供給される構成としている。
【００２７】
例えば、（イ）氏から入荷した穀粒の全部は、自動二方向切替装置５２を一方側へ開させて、流量調節貯留タンク８，８へ供給する。供給が終了すると該自動二方向切替装置５２を他方側へ開させて、粗精選機１０を始動させる。粗選別が終了して、計量済み、及び選別済みの穀粒は、乾燥機張込コンベア１４へ供給され、供給が終了すると、次は（Ｂ）氏から入荷した穀粒の全部を、Ａ氏と同じように処理する構成としている。
【００２８】
これにより、粗精選機用エレベータ５１により、乾燥機張込エレベータを兼用させることができて、この乾燥機張込エレベータが不用となり、大幅なコスト低減ができる。
図５、及び図６は、貯蔵ビン部を示す。
穀粒乾燥施設には、穀粒の乾燥、及び乾燥済み穀粒を長期間に亘って貯蔵を行う四角形状の貯蔵ビン５３を複数台設置した構成であり、この貯蔵ビン５３内には、乾燥中の穀粒を攪拌する攪拌装置５４，５４を中央の仕切板５５の両側に設け、これら攪拌装置５４，５４は、左右、及び前後方向へ各モータ５６の回転により、移動自在で各攪拌軸５７が回転駆動する構成であり、この貯蔵ビン５３下部には、乾燥用空気が通過するスイープフロワ５８を設けた構成としている。
【００２９】
前記貯蔵ビン５３の一方側外壁部で仕切板５５の左右両側には、断熱シート５６ａ，５６ａをロール状にして、支持板５５ａの支持軸５５ｂに軸支して設けた構成であり、この貯蔵ビン５３内の穀粒の乾燥が終了すると、この断熱シート５６ａ，５６ａの一端部を攪拌装置５４，５４の支持棒５５ｃ，５５ｃへ装着させて、この攪拌装置５４，５４を他方側へ移動させることにより、この貯蔵ビン５３の該仕切板５５の両側部の天井部は、この断熱シート５６ａ，５６ａで塞がれる構成としている。
【００３０】
これにより、乾燥終了後に貯蔵ビン５３の天井近傍部の穀粒は、隣接する他の貯蔵ビン５３で穀粒を乾燥中であると、この乾燥済みの穀粒の乾燥が進み過乾燥になることがあったが、この発明により、この過乾燥が防止できるし、又、乾燥終了後に天井部を塞ぐ構成であることにより、結露することもない。
図７は、貯蔵ビン部を示す。
【００３１】
穀粒乾燥施設には、穀粒を乾燥、一時貯留、及び長期間に亘って貯蔵を行う四角形状の貯蔵ビン５９を複数台設置した構成であり、この貯蔵ビン５９の上側の左・右両側、及び前後方向中央部には、家屋の梁６０，６１，６２を位置させた構成であり、該貯蔵ビン５９下部には、乾燥空気が通過するスイープフロワ６３を設けた構成としている。
【００３２】
前記中央梁６２の左右方向中央部には、駆動モータ６４を設け、この駆動モータ６４の左右両側には、外周部に左ネジを有する回転軸６５と、外周部に右ネジを有する回転軸６６とを回転自在に設けると共に、これら回転軸６５，６６と左・右梁６０，６１とには、折り畳み式の遮断具６７，６８を接続させて設け、該回転軸６５，６６の回転駆動により、この左・右両側の遮断具６７，６８が移動し、貯蔵ビン５９の天井部を塞ぐ状態にしたり、又、開放状態にする構成としている。
【００３３】
一時貯留、及び長期間に亘って貯蔵ビン５９内の穀粒を貯蔵するときは、遮断具６７，６８により、この貯蔵ビン５９の天井部を塞ぐ構成であり、又、乾燥済み穀粒を貯蔵した該貯蔵ビン５９に隣接する他の貯蔵ビン５９で穀粒を乾燥中のときも、この乾燥済み穀粒を貯蔵したこの貯蔵ビン５９の天井部を塞ぐ構成としている。
【００３４】
前記駆動モータ６４は、前述した制御装置で始動、及び停止制御する構成としている。
前記駆動モータ６４にかえてハンドルで回転軸６５，６６を回転させる構成とするもよい。
これにより、貯蔵ビン５９の天井部は、隣接する該貯蔵ビン５９で穀粒乾燥中のとき、及び貯蔵のときは、塞がれることにより、貯蔵中の穀粒の過乾燥が防止できる。
【図面の簡単な説明】
【図１】  穀粒乾燥施設の要部の正面図
【図２】  粗精選機の一部の拡大正面図
【図３】  粗精選機排出漏斗部の一部の拡大正面図
【図４】  他の実施例を示す図で、穀粒乾燥施設の穀粒張込部の正面図
【図５】  他の実施例を示す図で、貯蔵ビンの一部断面せる全体拡大正面図
【図６】  他の実施例を示す図で、貯蔵ビンの一部破断せる全体拡大側面図
【図７】  他の実施例を示す図で、貯蔵ビンの全体拡大側面図
【符号の説明】
８    流量調節貯留タンク
１０    粗精選機
１１    計量器
１５    乾燥機
２４    サイロ
３５    スカルピングスクリーン
３６    サイドスクリーン
３７    流下棚
３９    脱芒機
４３    脱ぷ粒排出口
４３ａ    排出漏斗
４４    吸引ファン
４５    脱ぷ粒タンク用エレベータ
４８    脱ぷ粒タンク
【図１】
0003704860.tif 000002
【図２】
0003704860.tif 000003
【図３】
0003704860.tif 000004
【図４】
0003704860.tif 000005
【図５】
0003704860.tif 000006
【図６】
0003704860.tif 000007
【図７】
0003704860.tif 000008